(57)【要約】      （修正有）【課題】過去に設計して建てられた建築作品の情報を建物ごとに一定の形式で、かつ、信頼性を高めてインターネット上で表示させる建築作品紹介システムを提供する。【解決手段】建築家ＩＤでログインしてきたユーザーに対して建築作品ごとに建築家作品情報領域と工務店情報領域を有する建築作品紹介ページの新規登録を許可し、建築家作品情報領域では建築作品紹介ページの新規登録を行った建築家ＩＤのユーザーのみから建築作品の情報を受信可能とし、工務店情報領域では建築作品紹介ページの新規登録を行った建築家ＩＤでログインしたユーザーが建築作品紹介ページに登録した工務店ＩＤと同じ工務店ＩＤからログインしてきたユーザーのみから建築作品の情報を受信可能とし、これら受信した情報により建築作品紹介ページを構築し、建築作品ごとの建築作品紹介ページの表示をインターネット上で行わせる。【選択図】図１
2011237873.tif 000002
【特許請求の範囲】
【請求項１】
インターネットに接続されたサーバにより建築作品紹介サイトを処理する建築作品紹介システムにおいて、
前記建築作品紹介サイトは、ユーザーの要求に応じて建築家ＩＤと工務店ＩＤを発行し、前記建築家ＩＤでログインしてきたユーザーに対して建築作品ごとに建築家作品情報領域と工務店情報領域を有する建築作品紹介ページの新規登録を許可し、前記建築家作品情報領域では前記建築作品紹介ページの新規登録を行った建築家ＩＤのユーザーのみから建築作品の情報を受信可能とし、前記工務店情報領域では前記建築作品紹介ページの新規登録を行った建築家ＩＤでログインしたユーザーが前記建築作品紹介ページに登録した工務店ＩＤと同じ工務店ＩＤからログインしてきたユーザーのみから建築作品の情報を受信可能とし、これら受信した情報により建築作品紹介ページを構築し、建築作品ごとの建築作品紹介ページの表示をインターネット上で行わせることを特徴とする建築作品紹介システム。
【請求項２】
請求項１に記載の建築作品紹介システムにおいて、
前記建築作品紹介ページは、建築家紹介領域を有し、前記建築家紹介領域では、前記建築作品紹介ページの新規登録を行った建築家ＩＤでログインしたユーザーによりあらかじめ作成された建築家情報が自動で構築されることを特徴とする建築作品紹介システム。
【請求項３】
請求項１又は請求項２に記載の建築作品紹介システムにおいて、
前記建築作品紹介サイトはユーザーの要求に応じてオーナーＩＤを発行し、前記建築作品紹介ページは、オーナーコメント欄を有し、前記オーナーコメント欄は、前記建築作品紹介ページの新規登録を行った建築家ＩＤでログインしたユーザーが前記建築作品紹介ページに登録したオーナーＩＤと同じオーナーＩＤからログインしてきたユーザーのみ書き込み可能であることを特徴とする建築作品紹介システム。
【発明の詳細な説明】
【技術分野】
【０００１】
本発明は、建築作品システムに関し、特に、インターネット上で過去に設計して建てられた建築作品の情報を建物ごとに表示させる建築作品紹介システムに関する。
【背景技術】
【０００２】
従来、一般ユーザーが建築家に建物の設計を依頼するとき、建築家はその依頼に合わせて、別個にそれぞれ設計する場合がほとんどであった。そして、建築家が設計した建物は、例えば、建築家が開設するサイトごとに参考資料としてホームページで紹介されている程度であった。
【発明の概要】
【発明が解決しようとする課題】
【０００３】
しかし、過去に建築家が設計した建築作品を他の敷地でそのまま活用することができれば、設計の図面や施工のノウハウをそのまま生かせ、一から設計するよりもコストダウンして、ユーザーに提供することができる。そのためには、過去に建築家が設計した建物を、ある程度一定の形式で、かつ、信頼性を高めて表示させると効果的である。
【０００４】
そこで、本発明は、上記課題に鑑みて、過去に設計して建てられた建築作品の情報を建物ごとに一定の形式で、かつ、信頼性を高めてインターネット上で表示させる建築作品紹介システムを提供することを目的とする。
【課題を解決するための手段】
【０００５】
上記目的を達成するため、本発明の建築作品紹介システムは、インターネットに接続されたサーバにより建築作品紹介サイトを処理する建築作品紹介システムにおいて、前記建築作品紹介サイトは、ユーザーの要求に応じて建築家ＩＤと工務店ＩＤを発行し、前記建築家ＩＤでログインしてきたユーザーに対して建築作品ごとに建築家作品情報領域と工務店情報領域を有する建築作品紹介ページの新規登録を許可し、前記建築家作品情報領域では前記建築作品紹介ページの新規登録を行った建築家ＩＤのユーザーのみから建築作品の情報を受信可能とし、前記工務店情報領域では前記建築作品紹介ページの新規登録を行った建築家ＩＤでログインしたユーザーが前記建築作品紹介ページに登録した工務店ＩＤと同じ工務店ＩＤからログインしてきたユーザーのみから建築作品の情報を受信可能とし、これら受信した情報により建築作品紹介ページを構築し、建築作品ごとの建築作品紹介ページの表示をインターネット上で行わせることを特徴とする。
【０００６】
さらに本発明の建築作品紹介システムは、前記建築作品紹介ページは、建築家紹介領域を有し、前記建築家紹介領域では、前記建築作品紹介ページの新規登録を行った建築家ＩＤでログインしたユーザーによりあらかじめ作成された建築家情報が自動で構築されることを特徴とする。
さらに本発明の建築作品紹介システムは、前記建築作品紹介サイトはユーザーの要求に応じてオーナーＩＤを発行し、前記建築作品紹介ページは、オーナーコメント欄を有し、前記オーナーコメント欄は、前記建築作品紹介ページの新規登録を行った建築家ＩＤでログインしたユーザーが前記建築作品紹介ページに登録したオーナーＩＤと同じオーナーＩＤからログインしてきたユーザーのみ書き込み可能であることを特徴とする。
【発明の効果】
【０００７】
本発明によれば、建築作品紹介システムにおいて、過去に設計して建てられた建築作品の情報を建物ごとに一定の形式で、かつ、信頼性を高めてインターネット上で表示させることができる。
【図面の簡単な説明】
【０００８】
【図１】本発明の建築作品紹介システムによる第１の処理の流れを示す全体構成図である。
【図２】本発明の建築作品紹介システムによる第２の処理の流れを示す全体構成図である。
【図３】本発明の建築作品紹介システムおいて表示される建築作品紹介ページの表示例を示す図である。
【発明を実施するための形態】
【０００９】
本発明を実施するための形態を説明する。
【００１０】
本発明は、インターネットに接続されるサーバにより以下の処理を行い、インターネットを通じてアクセスしてきたユーザーに建築作品の閲覧等を可能とする建築作品紹介サイト１を提供する建築作品紹介システムである。
【００１１】
図１は、本発明の建築作品紹介システムによる第１の処理の流れを示す全体構成図である。
【００１２】
建築家２は、ＰＣなどから建築作品紹介サイト１にインターネットを介してアクセスし、建築家ＩＤの登録を行う〈Ｓ１、Ｓ２〉。登録は、例えば、建築家の氏名や事務所の情報を送信する。また、場合によっては、経歴や写真の情報を送信して登録するようにしてもよい。
すなわち、建築作品紹介サイト１では、ユーザーの要望に応じてユーザーごとに建築家ＩＤとパスワードを発行して、さらに、受信した情報は建築作品紹介サイト１を管理するサーバに蓄積する。
【００１３】
建築家２は、紹介したい作品のオーナー４に掲載の了承を得た後〈Ｓ３〉、建築作品紹介サイト１に、建築家ＩＤでログインし、建築作品紹介ページ１０の新規登録を行う。登録は、建築作品紹介サイト１内にあらかじめ設定してある形式に従って登録を行う。なお、建築作品ごとの表示例は後述する。そして、建築家が有している情報や、建物に関する画像や動画などを送信する〈Ｓ４〉。
すなわち、建築作品紹介サイト１は、建築家ＩＤでログインしてきたユーザーに対して、建築作品紹介ページ１０の新規登録をできるように設定されている。設定は、あらかじめ形式を決めておくことで統一感を出せるようにする。さらに後述するように、領域ごとでアクセス制限が設けられている。建築作品紹介サイト１を管理するサーバには、これらの作品ごとの情報が記憶され建築作品の作品データとして構築される。さらに、このデータを建築作品紹介ページ１０ごとにインターネット上で表示可能とする。
【００１４】
一方、建築作品紹介ページ１０では、工務店３からの情報も表示できるようになっている。建築家２は、建築作品を施工した工務店３に情報提供の依頼を行う〈Ｓ５〉。すると、工務店からは、ＰＣなどから建築作品紹介サイト１にインターネットを介してアクセスし、工務店ＩＤの登録を行う〈Ｓ６〉。登録は、例えば、工務店の名称や住所などの基本情報を登録する。さらに、工務店や写真の情報を送信して登録するようにしてもよい。すると、建築作品紹介サイト１から、工務店ごとに、工務店ＩＤとパスワードを発行される〈Ｓ７〉。
すなわち、建築作品紹介サイト１では、ユーザーの要望に応じてユーザーごとに工務店ＩＤとパスワードを発行して、さらに、受信した情報は建築作品紹介サイト１を管理するサーバに蓄積する。そして、工務店ＩＤは、建築家ＩＤと別の種類のＩＤとして管理され、工務店ＩＤでは、上述した建築家ＩＤによる建築作品紹介ページ１０の登録は行えない。
【００１５】
次に、工務店３は、建築家２に工務店ＩＤの通知をして〈Ｓ８〉、建築家２は、建築家ＩＤでログインして、その建築家が作成した建築作品紹介ページ１０への工務店ＩＤの登録を行う〈Ｓ９〉。すると、建築作品紹介サイト１では、特定の建築作品紹介ページ１０に工務店ＩＤが登録される。その後、工務店３は、その工務店ＩＤで建築作品紹介ページ１０を指定して、工務店が有する施工に関する情報を送信する〈Ｓ１０〉。
このとき、建築作品紹介サイト１では、建築作品紹介ページ１０を新規登録した建築家ＩＤでログインしたユーザーのみに対して建築作品紹介ページ１０と関連づけた工務店ＩＤの登録を許可する。この工務店ＩＤとログインしてきたユーザーの工務店ＩＤが一致した場合のみ、工務店ＩＤのユーザーからの情報の受け付け、この情報を指定された建築作品紹介ページ１０の領域で表示させるようにする。
【００１６】
図３は、本発明おいて表示される建築作品紹介ページ１０の表示例を示す図である。
【００１７】
上部に、「作品ＮＯ．」１１が表示され、その横に「作品タイトル」１２が表示される。その下には、当該作品に係る建物の写真１３が表示される。これらの情報は、建築家２が建築家ＩＤでログインして登録した建築作品紹介ページ１０を特定して送信（図１の〈Ｓ４〉）された情報が表示される。作品ＮＯ．は、重複しないように建築作品紹介サイト１で建築作品紹介ページ１０登録時に自動で発行されるようにしてもよい。
【００１８】
さらにその下には、建築家情報１４が表示される。この建築家情報１４では、建築家の写真、建築家の氏名、建築家の属する設計事務所の名称やその住所、また、その事務所や建築家個人が開設するサイトのＵＲＬを表示させることができる。さらに、建築家詳細ボタン１４ａをクリックすれば、建築家の詳細ページが表示される。これらの情報は、建築作品紹介ページ１０の作成時に記入する形式でも可能ではあるが、建築作品紹介ページ１０の作成ごとに情報の入力や送信が必要になり手間がかかる。このため、建築作品紹介サイト１では、建築家ＩＤにより入力や送信されてきた建築家の情報を、建築作品紹介ページ１０とは別に、この建築家ＩＤと関連付けてサーバに情報として蓄積しておく。そして、建築作品紹介ページ１０の作成時に自動作成ボタンをクリックする等して自動で建築家情報１４の領域に情報を構築して表示させるようにすれば、手間がかからない。また、建築家の詳細ページについても同様で、あらかじめ建築家ＩＤに関連付けして作成しておけばよい。すなわち、この場合は、同じ建築家ＩＤで作成された、各建築作品紹介ページ１０では、同じ内容の建築家情報１４が自動で表示されることになる。
【００１９】
さらにその下には、建物データ情報１５が表示される、表示されるデータとして、例えば、「基準設計料」、「立地」、「構造」、「階数」、「工事費」、「スタイル」、「短辺方向Ａ」、「短辺方向Ｂ」、「長辺方向」、「建築面積」、「延床面積」、「間取り」、「こだわりのポイント」、「コンセプトとポイント」等が挙げられる。これらは、建築家ＩＤでログインして送信（図１の〈Ｓ４〉）された情報である。また、これらの情報は、作品を特定する「作品ＮＯ．」１１等の情報と関連づけて、サーバに格納されておくことで、建築作品ごとのデータベースとすることができる。
【００２０】
さらに、その下には、コメント欄１６が表示されている。コメント欄は、オーナーコメント欄１６ａ、工務店コメント欄１６ｂ、建築家コメント欄１６ｃがあり、これらは、オーナー４、工務店３、建築家２によって書き込める。処理方法の詳細については後述する。
【００２１】
さらに、その下には、施工関連情報１７が表示される。施工関連情報１７は、図１の〈Ｓ１０〉で、工務店３から送られてくる情報である。ここで、建築作品紹介サイト１は、建築家３が建築作品紹介ページ１０で登録した工務店ＩＤからの情報でないと受け付けない。施工関連情報１７は、工務店名１７ａや施工時の建物の様子を撮影した施工写真１７ｂや、施工方法等や内部の構造について説明した、施工説明１７ｃが表示される。また、工務店名１７ａをクリックすると、工務店ＩＤと関連付けて格納されている工務店の情報を表示するようにしてもよい。
【００２２】
さらにその下には、間取り図１８が表示される。間取り図１８は、建築家ＩＤでログインして送信（図１の〈Ｓ４〉）された情報である。また、間取り図ダウンロードボタン１８ａをクリックすることで間取り図がダウンロード可能になる。
【００２３】
さらにその下には、資料請求ボタン１９を有し、このボタンをクリックすると一般ユーザー５がこの建築作品紹介ページ１０の建築作品に関する資料請求のページに移行する。
【００２４】
図２は、本発明の建築作品紹介システムによる第２の処理の流れを示す全体構成図である。
【００２５】
建築家３は、建築家ＩＤによりログインして、登録した建築作品紹介ページ１０の建築家コメント欄１６ｃの書き込みを行なえる〈Ｓ１１〉。さらに、工務店３は、建築作品紹介ページ１０に工務店ＩＤが建築家２により登録（図１の〈Ｓ９〉）してある場合は、工務店コメント欄１６ｂに書き込みができる〈Ｓ１２〉。
すなわち、建築作品紹介サイト１では、建築作品紹介ページ１０の建築家コメント欄１６ｃでは、この建築作品紹介ページ１０を新規登録した建築家ＩＤでログインしたユーザーのみが書き込み可能と設定されている。さらに、建築作品紹介ページ１０の工務店コメント欄１６ｂでは、建築作品紹介ページ１０に関連付けして登録された工務店ＩＤでログインしたユーザーのみが書き込み可能と設定されている。
【００２６】
さらに、建築家２は、建てた家のオーナー４に依頼をする〈Ｓ１３〉。すると、オーナー４は、建築作品紹介サイト１にＰＣなどからインターネットを介して建築作品紹介サイト１にアクセスし、オーナーＩＤの登録を行う〈Ｓ１４〉。すると、建築作品紹介サイト１から、オーナーごとに、オーナーＩＤとパスワードを発行される〈Ｓ１５〉。
すなわち、建築作品紹介サイト１では、ユーザーの要望に応じてユーザーごとにオーナーＩＤとパスワードを発行して、さらに、受信した情報は建築作品紹介サイト１を管理するサーバに蓄積する。そして、オーナーＩＤは、建築家ＩＤ、工務店ＩＤと別の種類のＩＤとして管理され、上述した建築家ＩＤによる建築作品紹介ページ１０の登録や工務店ＩＤによる施工情報の受信を許可しない。
【００２７】
次に、オーナー４は、建築家２にオーナーＩＤの通知をして〈Ｓ１６〉、建築家２は、建築家ＩＤでログインして、その建築家が作成した建築作品紹介ページ１０へのオーナーＩＤの登録を行う〈Ｓ１７〉。オーナー４は、オーナーＩＤでログインしてこのオーナーＩＤが登録された建築作品紹介ページ１０のオーナーコメント欄１６ａに書き込みが可能となる〈Ｓ１８〉。
すなわち、建築作品紹介サイト１では、建築作品紹介ページ１０を新規登録した建築家ＩＤでログインしたユーザーのみに対して建築作品紹介ページ１０と関連づけたオーナーＩＤの登録を許可する。このオーナーＩＤとログインしてきたユーザーのオーナーＩＤが一致した場合のみ、その建築作品紹介ページ１０のオーナーコメント欄１６ａに書き込みを可能とする。
【００２８】
一方、建築作品紹介ページ１０を閲覧した一般ユーザー５から、オーナーＩＤが登録された建築作品紹介ページ１０の資料請求ボタン１９をクリックする等して建築作品紹介ページ１０に掲載された建築作品の資料請求がなされたとき〈Ｓ１９〉、オーナーＩＤに対してポイントが付与される〈Ｓ２０〉。そして、建築作品紹介サイト１は、このポイントに応じて、何かしかの特典をオーナー４に付与すれば、オーナー４は自分の家の掲載を承認してくれる可能性が高くなる。
すなわち、建築作品紹介サイト１では、一般ユーザー５が資料請求依頼を受信により確認した場合、その建築作品紹介ページ１０に登録されているオーナーＩＤに対してポイントを付加し、サーバにその情報を蓄積する。なお、このポイントの付加は、オーナーコメント欄１６ａがなくても、適用可能である。
【００２９】
このように、本発明では、建築家ＩＤ、工務店ＩＤ，オーナーＩＤを別々に管理し、建築家ＩＤでログインしたユーザーからの情報、工務店ＩＤでログインしたユーザーからの情報、オーナーＩＤでログインしたユーザーからの情報をそれぞれ受信して表示できる。そして、建築家ＩＤによりログインしてきたユーザーが、建築作品紹介ページ１０の作成を行えるようにしている。このとき、建築家ＩＤによりログインしてきたユーザーが建築作品紹介ページ１０に対して工務店ＩＤやオーナーＩＤの登録した場合のみ、工務店ＩＤやオーナーＩＤでログインしてきたユーザーに対して一定の情報を受け付け、一定の領域で表示させることにより、信頼性の高い建築作品紹介ページとすることができる。また、情報を建築作品ごとに構築することで、一般ユーザー５が所望の建築作品を検索したいときのデータベースとして役立てることができる。なお、ＩＤや建築作品に関する情報は、サーバでなく、サーバに接続された記憶装置に記憶させてもよい。
【符号の説明】
【００３０】
１      建築作品紹介サイト
２      建築家
３      工務店
４      オーナー
５      一般ユーザー
１０    建築作品紹介ページ
１１    「作品Ｎｏ．」
１２    作品タイトル
１３    建物の写真
１４    建築家情報
１５    建物データ情報
１６    コメント欄
１６ａ  オーナーコメント欄
１６ｂ  工務店コメント欄
１６ｃ  建築家コメント欄
１７    施工関連情報
１８    間取り図
１９    資料請求ボタン
【図１】
2011237873.tif 000003
【図２】
2011237873.tif 000004
【図３】
2011237873.tif 000005